(57)【特許請求の範囲】
【請求項１】
箱状の筐体を所定のパネルにネジ締めして取り付ける取付金具と、
前記筐体の一面に凹設されて前記取付金具を収納する桶状の金具収納部と、を備え、
前記金具収納部は、
前記取付金具を横並びにスライドして収容し、凹所内に保持するフェンスと、
収容した前記取付金具のネジ頭部と当接し収納位置に係止する抜け止め用フックと、
を有することを特徴とする表示器。
【請求項２】
請求項１に記載の表示器において、
前記抜け止め用フックの少なくとも一箇所のフックを押込み操作可能な取出しゲートとし、この取出しゲートの押込み操作により前記取付金具とフックとの係止を解除して前記取付金具を取り出すことを特徴とする表示器。
【請求項３】
請求項１又は請求項２に記載の表示器において、
前記フェンスを前記凹所の長手方向の開口縁の一方に配し、
前記抜け止め用フックを前記開口縁の長手方向の他方に配し、該抜け止め用フックは前記凹所内に挿入された前記取付金具のネジ頭部に当接する突起形状体であることを特徴とする表示器。
【請求項４】
請求項１〜請求項３のいずれか１項記載の表示器において、
前記金具収納部が前記表示器の筐体に一体形成されていることを特徴とする表示器。
【請求項５】
請求項１〜請求項３のいずれか１項記載の表示器において、
前記金具収納部を独立したアセンブリー部品として、前記表示器の筐体に組み付けたことを特徴とする表示器。
【請求項６】
請求項１〜請求項５のいずれか１項記載の表示器において、
前記取付金具は、桶状の押圧片と、この押圧片内に収容されるコ字状のベース片と、前記押圧片を貫通して前記ベース片に螺接する締め付けネジとの組立体になり、前記締め付けネジを前記ベース片に螺接して前記筐体を前記パネルに固定することを特徴とする表示器。
【請求項７】
請求項１〜請求項６のいずれか１項記載の表示器において、
前記所定のパネルは前記表示器の筐体に合わせて取付穴が開口された盤パネルであり、
該盤パネルの取付穴に表示器の筐体を前方から挿入セットした状態で、盤パネルの取付穴周面を挟んで前記表示器のディスプレイ外周フレームの背後側に前記取付金具を装着し、この取付金具のネジ締め付け操作により取付金具を盤パネルの背面に押圧して前記表示器を盤パネルに固定支持することを特徴とする表示器。
【請求項８】
請求項１〜請求項７のいずれか１項記載の表示器において、
前記表示器は、前面にタッチパネル式のディスプレイが備えられ、
該ディスプレイに表示された画面とタッチパネルにおける操作位置とがあらかじめ対応付けされたディスプレイ画面を表示し、このディスプレイ画面が操作されることにより前記ディスプレイ画面に設定された指示データを外部に出力するように構成されたプログラマブル表示器であることを特徴とする表示器。
【発明の詳細な説明】
【技術分野】
【０００１】
本発明は、ＦＡ関連機器のＨＭＩ（ヒューマン・マシン・インターフェース）機器として様々な情報，データをディスプレイの画面に表示するパネルマウント方式のプログラマブル表示器を対象とした表示器に関し、詳しくはその製品の出荷時に標準付属品として同梱する取付金具の収納構造に係わる。
【背景技術】
【０００２】
頭記のプログラマブル表示器は、制御装置，電源端子，各種インターフェースなどを搭載した表示器本体の筐体前部にタッチパネル式のディスプレイを備えた構成の表示器であり、パネルマウント方式の表示器ではその表示器本体を操作盤，制御盤などの盤パネルに取付けて使用される。
【０００３】
また、パネルマウント方式の表示器を盤パネルに固定支持する手段として、盤パネルにカットした所定寸法の取付穴に表示器本体を前方から挿入セットした上で、盤パネルの背後に突き出した表示器筐体の周面複数箇所にネジ締め式の取付金具を装着して盤パネルに搭載支持した取付構造が知られている（例えば、特許文献１参照）。
【０００４】
ところで、このようなプログラマブル表示器の製品を出荷するに際して、従来は前記取付金具を一括してビニール袋などに入れ、これを標準付属品として製品に同梱して出荷するようにしている。一方、製品を入手したユーザーの作業者は、表示器を盤パネルに搭載する際に前記の取付金具をビニール袋から取り出して所定の取付箇所に装着した上で、その取付金具のネジを締め付けて表示器を盤パネルに固定するようにしている。
【先行技術文献】
【特許文献】
【０００５】
【特許文献１】特開平８−３６３６５号公報（図５）
【発明の概要】
【発明が解決しようとする課題】
【０００６】
しかしながら、先記のように取付金具をビニール袋に袋詰めしてプログラマブル表示器の製品に同梱する方法は、その部品の取扱い性に次記のような課題がある。
すなわち、メーカーでは、プログラマブル表示器の製品組立とは別に、付属部品の取付金具をビニール袋などに袋詰めした上で製品の梱包箱に同梱する作業が必要となる。また、ユーザー側では、入手した表示器を盤パネルに取付けるに先立って、取付金具をビニール袋から取り出す段取りの作業が必要で煩雑となるほか、袋から取り出した取付金具を作業現場に置き忘れたり、袋から転がり落ちて紛失したりすることがあった。また、製品の輸送中，あるいは梱包を開く際に取付金具が袋から不測に飛び出して表示器のディスプレイ板面を傷つけてしまう初期不良のクレームもあって、その部品の保管，取扱いの改善策が要望されている。
【０００７】
本発明は上記の点に鑑みなされたものであり、その目的は取付金具の保管，取扱い性を改善してユーザーが表示器本体を盤パネルに取り付ける際の作業性向上を図った表示器を提供することにある。
【課題を解決するための手段】
【０００８】
上記目的を達成するために、本発明によれば、表示器を次記のように構成するものとする。
（１）表示器筐体の一面に、該表示器を所定のパネルに固定支持するネジ締め式の取付金具を収納する桶状の金具収納部を凹設し、かつこの金具収納部には前記取付金具を横並びにスライドして凹所内に保持するフェンスと、収容した取付金具のネジ頭部に当接して取付金具を収納位置に係止する抜け止め用フックを設ける（請求項１）。
（２）前項（１）において、前記抜け止め用フックの少なくとも一箇所のフックを押込み操作可能な取出しゲートとし、この取出しゲートの押込み操作により前記取付金具とフックとの係止を解除して前記取付金具を取り出すようにする（請求項２）。
（３）前項（１），（２）の構成において、前記フェンスを前記凹所の長手方向の開口縁の一方に配し、前記抜け止め用フックを前記開口縁の長手方向の他方に配し、該抜け止め用フックは前記凹所内に挿入された前記取付金具のネジ頭部に当接する突起形状体とする（請求項３）。
（４）また、前記金具収納部は、前記表示器の筐体に一体成形する（請求項４）か、もしくは独立したアセンブリー部品として前記表示器の筐体背面に組み付けて構成することができる（請求項５）。
（５）一方、前記取付金具は、桶状の押圧片と、この押圧片内に収容されるコ字状のベース片と、前記押圧片を貫通してベース片に螺接する締め付けネジとの組立体になり、前記締め付けネジを前記ベース片に螺接して前記筐体を前記パネルに固定する(請求項６）。
（６）また、前記パネルは、前記表示器の外形に合わせて取付穴が開口された盤パネルであり、該盤パネルの取付穴に表示器の筐体を前方から挿入セットした状態で、盤パネルの取付穴周面を挟んで前記表示器のディスプレイ外周フレームの背後側に前記取付金具を表示器筐体に装着し、該取付金具のネジ締め付け操作により取付金具を盤パネルの背面に押圧して前記表示器を盤パネルに固定支持する（請求項７）。
（８）前記の各項における表示器は、前面にタッチパネル式のディスプレイが備えられ、該ディスプレイに表示された画面とタッチパネルにおける操作位置とがあらかじめ対応付けされたディスプレイ画面を表示し、このディスプレイ画面が操作されることにより前記ディスプレイ画面に設定された指示データを外部に出力するように構成されたプログラマブル表示器である（請求項８）。
【発明の効果】
【０００９】
上記した表示器，および該表示器の筐体に設けた取付金具の収納構造によれば、次記のような効果を奏することができる。
（１）表示器組立工程の途上で表示器筐体の背面に設けた金具収納部に所定個数の取付金具を収容セットしておくことにより、メーカーが製品を出荷する際には、従来のように取付金具を別に用意したビニール袋に袋詰めして製品に同梱する手間の掛かる梱包作業が不要となる。
（２）また、製品を入手したユーザーの作業者が表示器を盤パネルに搭載する際には、従来のように製品に同梱されている取付金具をビニール袋から一々取り出す手間の掛かる段取り作業は必要なく、表示器の筐体に設けた金具収納部から一個ずつ取り出した取付金具をそのまま、同じ筐体の周面部に形成されている金具取付穴に装着セットすることができる。これにより、作業者は取付金具を作業現場に置き忘れて紛失したりする気遣いなしに、盤パネルに搭載する表示器の取付け作業を簡単，かつ能率よく進めることができる。また、製品の輸送中、あるいは梱包を開く際に取付金具が不測にビニール袋から飛び出て表示器ディスプレイの板面を傷つけてしまうといった初期不良のクレーム対応も減らすことができる。
（３）そのほか、前記金具収納部には、前記取付金具を一列に並べて収容保持するフェンス、および前記取付金具のネジ頭部と当接し該金具を収納位置に係止する抜け止め用フックを設けたことにより、表示器の製品輸送中に金具収納部に収納した取付金具が不測に脱落するのを防いで取付金具を収納位置に安定保持することかできる。また、前記抜け止め用フックのうち、少なくとも一箇所のフックを釈放位置に押込み操作可能な取出しゲートとし、この取出しゲートの押込み操作により前記取付金具とフックとの係合を解除して取付金具を取り出し可能にするようにしたことで、金具収納部の凹所に所定個数の取付金具を横一列に並べて遊び隙間なく収納した満杯状態から取付金具を簡単な操作で一個ずつ順に取り出すことができる。
【図面の簡単な説明】
【００１０】
【図１】本発明の実施例によるプログラマブル表示器の筐体背面に形成した金具収納部に取付金具を収納した状態を表す表示器本体の背面図である。
【図２】図１における金具収納部（矢印Ｐ部）の拡大図であって、（ａ），（ｂ）はそれぞれ取付金具を金具収納部の凹所に収納した状態、および空の状態を表す斜視図、（ｃ）は（ｂ）に対応する俯瞰図である。
【図３】図２（ａ）に対応する金具収納部の補足説明図であって、（ａ）は正面図、（ｂ）は（ａ）における矢視Ａ−Ａ，Ｂ−Ｂ，Ｃ−Ｃの断面図である。
【図４】図２（ｂ）に対応する金具収納部の補足説明図であって、（ａ）は正面図、（ｂ）は（ａ）における矢視Ａ−Ａ，Ｂ−Ｂ，Ｃ−Ｃの断面図である。
【図５】図２（ａ）の金具収納部から取付金具を取り出す作業の説明図であって、（ａ）〜（ｄ）はその作業手順を表す図である。
【図６】パネルマウント方式のプログラマブル表示器を盤パネルに取付けた状態を表す図であって、（ａ），（ｂ）はそれぞれ表示器の背面図、および側面図である。
【図７】図６で表示器本体を盤パネルの取付穴に差込みセットする作業手順の説明図である。
【図８】図６で表示器の筐体に取付金具を装着する作業手順の説明図である。
【図９】図６における取付金具の詳細な部品構造図であって、（ａ）は取付金具の組立状態の斜視図、（ｂ）は（ａ）の側面図、（ｃ）は分解斜視図である。
【図１０】図６（ａ）における取付金具（矢視Ａ部）の拡大側視断面図である。
【発明を実施するための形態】
【００１１】
まず、本発明の主要部構造を説明する前に、この発明を適用する表示器の概要について述べる。本例の表示器は、特に図示・説明しないが、プログラマブル表示器としての一般的な構成・機能（例えば、タッチパネル等の入力装置、プログラマブルコントローラ本体やＩ／Ｏモジュールとの通信インターフェース、タッチパネル上での操作に応じたプログラマブルコントローラ本体やＩ／Ｏモジュールの制御／データ収集処理機能等の各種構成・各種機能）を有するものである。
【００１２】
この表示器は、工場等において制御対象であるアクチュエータ、インバータ又は温調計などのシーケンス制御を行うＰＬＣ（Programmable Logic Controller：プログラマブル・ロジック・コントローラ）の動作状態を表示する表示器としてＰＬＣに接続して使用される。
【００１３】
また、このような表示器は、グラフィック表示が可能なディスプレイ画面と、このディスプレイ画面に重ね合わされたタッチパネルとを備え、ＰＬＣによる制御対象のシーケンス制御を実行中に、ＰＬＣから読み取ったデータ内容を表示するとともに、ＰＬＣに書き込むべきデータの設定入力を受け付けるように構成されている。
【００１４】
ここで、前記ディスプレイ画面の表示内容とタッチパネルにおける操作位置とはあらかじめプログラム（作画プログラム）によって対応付けられており、ディスプレイ画面により表示されるスイッチ、ボタン等の表示位置でタッチパネルに触れることによって、プログラムにより設定されている操作内容に応じた指示データをＰＬＣへ送信する。それゆえ、このような表示器は“プログラマブル表示器”と呼称されている。
【００１５】
このような表示器に表示されるディスプレイ画面は、例えばパソコン等の汎用コンピュータ上でオペレータ等により作成されて、その作成された画面データが表示器に転送される。画面データとしては、例えばスイッチ、各種部品、ランプ、メータ、グラフ等の様々なアイテム（オブジェクト）が、任意の位置に配置されることで１つの画面として作成される。
【００１６】
次に、前記表示器をその設置先でパネルに搭載支持する取り付け方法、およびその取り付けに用いる取付金具の構造を図６〜図１０により説明する。なお、各図において、１はパネルマウント方式のプログラマブル表示器、２は表示器１を搭載する制御盤，操作盤などの盤パネル、３は表示器１を盤パネル２に固定支持するネジ締め式の取付金具である。
【００１７】
ここで、プログラマブル表示器１は、先記のように制御装置，電源端子，各種インターフェースを搭載した筐体４の前面にタッチパネル式のディスプレイ５を備えた構成になり、該ディスプレイ５は筐体４の前部に筐体より一回り大きく張り出した額縁状の外周フレーム４ａに嵌め込まれている。また、筐体４の上下四カ所には前記ディスプレイ５を支持する外周フレーム４ａの背後に近接して取付金具３を係止装着する金具取付穴４ｂ（図７参照）を形成している。一方、プログラマブル表示器１を取り付ける盤パネル２の板面には前記筐体４の外形サイズ（Ｘ，Ｙ）に合わせてカットした表示器の取付穴２ａを開設している（図７参照）。
【００１８】
そして、プログラマブル表示器１を盤パネル２に搭載支持するには、その作業手順として図７で示すように盤パネル２の前方から表示器本体を取付穴２ａに差込みセットし、この状態で盤パネル２の背面側に突き出した筐体４の上下四カ所に次記構造の取付金具３を手作業により装着セット（図６参照）した上で、該取付金具３をネジ締めして図６（ａ），（ｂ）のようにプログラマブル表示器１を盤パネル２に固定支持する。
【００１９】
また、表示器１の固定支持に使用する前記取付金具３は、図９（ａ）〜（ｃ）で示すように、押圧片として機能するパーツ３ａと、表示器１の筐体４に係止装着されるベース片として機能するパーツ３ｂと、締め付けネジ３ｃとの組立体からなる。
【００２０】
ここで、前記パーツ３ａ（押圧片）は、その矩形な基板の前後，および左右側縁に壁が起立形成された桶形状の鈑金品で、その前後端の壁にはネジ３ｃの軸部を嵌挿するネジ通し穴(バカ穴)３ａ−１が穿孔されている。また、パーツ３ｂ（ベース片）は、コ字形形状の周壁を基体として前記パーツ３ａの内方に挿入して前後方向へスライド可能に遊嵌された鈑金品であり、その前壁にはネジ３ｃが螺接するネジ穴３ｂ−１が形成され、さらに前壁部の縁から“くの字”形に突き出した係合爪３ｂ−２が起立形成されている。そして、パーツ３ａの内側にパーツ３ｂを嵌入した状態で、パーツ３ａの前後壁に穿孔したネジ通し穴３ａ−１に嵌挿した締め付けネジ３ｃをパーツ３ｂのネジ穴３ｂ−１に螺合して取付金具３を組み立てている。
【００２１】
次に、前記取付金具３を用いて表示器１を盤パネル２に固定支持する作業手順について述べる。すなわち、プログラマブル表示器１を盤パネル２の取付穴２ａに挿入した状態で（図８参照）、図１０で示すように表示器本体の筐体４の上下四カ所に形成した金具取付穴４ｂに取付金具３の係合爪３ｂ−２（図９参照）を差し込んで装着し、続いて各個の取付金具３のネジ３ｃを締め付ける。このネジ締め操作により、取付金具３は前記係合爪３ｂ−２を固定点としてパーツ３ｂのネジ穴３ｂ−１に螺合した締め付けネジ３ｃが前方に進み、そのネジ頭を介してパーツ３ａ（押圧片）が前方にスライド移動する。そして、このネジ締め操作によりパーツ３ａの前壁が盤パネル２の板面に当接して前方に押圧されると、このパーツ３ａとディスプレイ５の外周フレーム４ａとの間に盤パネル２を挟み込んで表示器本体が盤パネル２に固定支持されることになる。
【００２２】
次に、本発明の主テーマである前記取付金具の収納構造について、その実施の形態を図１〜図５に示す実施例に基づいて説明する。
まず、図示実施例の表示器１は盤パネル２に搭載するパネルマウント方式のプログラマブル表示器であり、先に図６〜図１０で説明したように、この表示器１は取付金具３を介して盤パネル２に固定支持される。
【００２３】
このような表示器１に対し、本発明の構成ではその筐体４の背面に表示器の標準付属品である所定個数（４個）の取付金具３（図９参照）を一括して収納する金具収納部６を設けておき、メーカーはプログラマブル表示器の組立工程でこの金具収納部６に所定個数の取付金具３を一括して収納した上で、製品を出荷する。また、この製品を入手したユーザーは、表示器１を盤パネル２に搭載する際に、前記金具収納部６から取付金具３を一個ずつ順に取り出して表示器筐体４に装着する（図８参照）。なお、図１示す実施例では前記金具収納部６がモールド樹脂成形品になる筐体４の背面カバーに一体成形されており、次にその詳細構造を図２〜図４に示す。
【００２４】
すなわち、金具収納部６は図示のように４個の取付金具３を横一列に並べて収容する凹所６ａが筐体４の背面から筐体内方へ引っ込むように桶形状に形成されており、さらに該凹所の前縁下部には各個の取付金具３の収納位置に合わせて上方に突き出した突起形状の抜け止め用フック６ｂが形成され、上縁側には左右に延在するレール状のフェンス６ｃを形成して凹所６ａに収容した取付金具３が脱落しないように収納位置に保持している。なお、この金具収納部６に収納する取付金具３（図９参照）は、その締め付けネジ３ｃのネジ頭を下に向けた起立姿勢で凹所６ａに挿入し、横一列に整列して収納させる。また、金具収納部６の凹所６ａの右端には、取付金具３の取出し用ゲート機構として下方に押込み操作が可能な鍵盤形の可動フック６ｄを設けている。なお、６ｅは可動フック６ｄの周域に形成した逃げ溝である。
【００２５】
次に、前記構成の金具収納部６に収容する取付金具３の挿入，および取り出し方法を図５（ａ）〜（ｄ）に基づいて説明する。先ず、図５（ａ）は金具収納部６の凹所６ａに４個の取付金具３を左右に並べて収納した状態を表している。ここで、金具収納部６に取付金具３を挿入するには、凹所６ａの右端に設けた可動フック６ｄを下方に押し下げて凹所の開放面域を広げる、この状態で取付金具３を一個ずつ前方から挿入し、凹所６ａの中を左側にスライドして横並びに整列させる。この収納状態では、各個の取付金具３は凹所６ａの上縁フェンス６ｃと下縁に設けたフック６ｂ，および可動フック６ｄ（可動フック６ｄは手を離すと抜け止め位置に弾性復帰する）との間に拘束されて収納位置から脱落しないように保持される。
【００２６】
次に、金具収納部６から取付金具３を取り出すには、図５（ｂ）で示すように可動フック６ｄを矢印Ｉ方向に押込んで釈放位置に退避させた上で、凹所６ａの右端に並んでいる取付金具３を指先で摘み、矢印IIのように前方に傾けて引き出す。そして、金具収納部６から抜き出した取付金具３は、図８で述べたように表示器本体の筐体周面に開口した金具取付穴４ｂに差し込んでこの位置に仮装着する。なお、右端の取付金具３を抜き出した状態では凹所６ａの右端に金具１個分の空所が生じる。
【００２７】
次に、凹所６ａの右端から２番目に並ぶ取付金具３を、図５（ｃ）の矢印IIIで示すように右方向に半ピッチだけずらしてフック６ｂとの拘束を解除した上で、前記と同様に取付金具３を矢印IＶ方向に傾けて前方に引き出し、そのまま筐体４の金具取付穴４ｂに装着する。以下、同様な手順で残りの取付金具３を金具収納部６から順に引き出して筐体４の金具取付穴４ｂに装着した上で、各個の取付金具３のネジ３ｃを締め付けて表示器本体を盤パネル２に固定する（図１０参照）。
【００２８】
上記の作業手順で明らかなように、プログラマブル表示器１の製品を購入したユーザーの作業員は、表示器本体を盤パネル２に取り付ける際に（図７，図８参照）、従来のように製品に同梱されている取付金具３をビニール袋から取り出す面倒な段取り作業は必要なく、表示器本体の金具収納部６にあらかじめ収納セットされている取付金具３を凹所６ａから１個ずつ順に抜き出してそのまま表示器の筐体４の周面に開口した金具取付穴４ｂに装着することが可能であり、これにより作業現場での部品の落下，置き忘れによる紛失のおそれなしに、盤パネル２への表示器の取付け作業を簡単，かつ能率よく行うことができる。
【００２９】
また、メーカー側においても、製品を出荷する際には取付金具を別に用意したビニール袋に袋詰めして同梱する手間の掛かる梱包作業が不要となる。
なお、図示実施例では金具収納部６を表示器本体の筐体４に一体成形しているが、別な実施例として、金具収納部６を独立したアセンブリー部品として成型し、この部品を筐体４の背面にネジ止めするなどして組み付けるようにしてもよい。また、金具収納部６の凹所の向きについても、図示実施例では取付金具６を横並びに収容するように横向きに形成しているが、筐体４の背面スペースの関係から縦向きに形成してもよい。
【００３０】
そのほか、金具収納部６から取り出した取付金具３を使ってプログラマブル表示器１を盤パネル２に取り付けた状態では、空になった金具収納部６の外側に重ねて筐体４の背面にデータ通信ユニットなど各種オプションユニットを装着することも可能である。
【００３１】
前述のように、本発明では、取付金具３を使って盤パネル２に搭載支持するパネルマウント方式のプログラマブル表示器１について、その表示器筐体４の背面には、標準付属品として用意した所定個数の取付金具３を一括して収納する金具収納部６をあらかじめ作り込んでおき、メーカーは前記取付金具３を金具収納部６に収納した同梱状態で製品を出荷する。また、この製品を入手したユーザーは、表示器１を盤パネル２に取り付ける際に前記した金具収納部６から直接に取付金具３を一個ずつ取り出し、そのまま表示器１の筐体４に係止装着してネジ締めすることかできる。
【００３２】
これにより、付属部品である取付金具３を別に用意したビニール袋に収容して製品に同梱する従来方式に起因する様々な課題を解消して、取付金具の取扱い，およびその取付作業性の改善を図ることができる。
【００３３】
以上の本発明を纏めると、図示実施例の表示器１の筐体４は直方体形状の箱型である。この表示器筐体４の背面には表示器１を盤パネル２などに固定支持するためのネジ締め式の取付金具３を収容する凹所６ａが形成されている。この凹所６ａは表示器筐体４の背面から筐体内方へ窪んで形成されており、この凹所の開口部の長手方向の縁部の一方には凹所に収容された取付金具３をその凹所内に保持するフェンス６ｃが形成されている。一方、縁部の他方には凹所６ａに取付金具３が全て収容されたときの、それぞれの取付金具３のネジ位置に合わせて、取付金具３の抜けを防止する抜け止め用フック６ｂが形成されている。さらに、抜け止め用フック６ｂは突起形状体であり、収容した取付金具３のネジ頭部と当接し、取付金具３をその収納位置に係止する役割を果たす。
【００３４】
また、本発明は抜け止め用フック６ｂの少なくとも一箇所を押込み操作可能な取出しゲートとしており、この取出しゲートの押込み操作により取付金具とフックとの係止を解除して取付金具を取り出すようにしている。
【００３５】
なお、上記実施例では表示器１の筐体背面に金具収納部６を設けるように説明したが、金具収納部６は筐体４の背面に限定されるものではなく、例えば筐体４の側面、底面、上面、前面（ディスプレイ周辺枠など）のいずれか、または複数個所に設けられても良い。また、本発明の表示器は盤パネル２などへの装着に支障の無い範囲で、金具収納部６を表示器筐体４に多少出っ張らせて形成しても良い。
【符号の説明】
【００３６】
１    プログラマブル表示器（表示装置）
２    盤パネル
２ａ  表示器取付穴
３    取付金具
３ａ  押圧片として機能するパーツ
３ｂ  固定ベース片として機能するパーツ
３ｃ  締め付けネジ
４    表示器の筐体
４ａ  外周フレーム
４ｂ  金具取付穴
５    ディスプレイ
６    金具収納部
６ａ  凹所
６ｂ  フック
６ｃ  フェンス
６ｄ  可動フック
【図１】
0005755978.tif 000002
【図２】
0005755978.tif 000003
【図３】
0005755978.tif 000004
【図４】
0005755978.tif 000005
【図５】
0005755978.tif 000006
【図６】
0005755978.tif 000007
【図７】
0005755978.tif 000008
【図８】
0005755978.tif 000009
【図９】
0005755978.tif 000010
【図１０】
0005755978.tif 000011